(57)【要約】【課題】計算機資源を複数の計算機イメージとして実行できる計算機を有する計算機システムで、計算機システム全体として業務の重要性に基づき効率よく処理を実行できるようにする。【解決手段】論理分割制御プログラムに、各々の論理区画の優先度にしたがって、計算機イメージでプログラムを実行するようにし、ディスクサブシステムに、論理区画の識別子と、その論理区画の優先度とを対にして通知する。ディスクサブシステムは、論理区画の計算機イメージで実行されるプログラムからの入出力命令によるストレージアクセス動作を、その論理区画に対して、計算機から通知された優先度に基づいておこなう。優先度は、その論理区画のＣＰＵ資源の割当て、ディスクサブシステムへのポートの使用率によって規定される。【選択図】        図５
2004152060.tif 000002
【特許請求の範囲】
【請求項１】
計算機資源を複数の論理区画に分割して、複数の計算機イメージでプログラムを実行できる計算機と、その計算機に接続された入出力装置とを有する計算機システムにおいて、
前記計算機は、
各々の論理区画の優先度によって、その論理区画の計算機イメージでプログラムを実行する手段と、
前記入出力装置に、前記論理区画の識別子と、その論理区画の優先度とを対にして通知する手段とを有し、
前記入出力装置は、
論理区画の計算機イメージで実行されるプログラムからの入出力命令による入出力動作を、その論理区画に対して、前記計算機から通知された優先度に基づいておこなうことを特徴とする計算機システム。
【請求項２】
計算機資源を複数の論理区画に分割して、複数の計算機イメージでプログラムを実行できる計算機と、その計算機に接続されたディスクサブシステムとを有する計算機システムにおいて、
前記計算機は、
各々の論理区画の優先度によって、その論理区画の計算機イメージでプログラムを実行する論理分割制御プログラムと、
前記ディスクサブシステムに、前記論理区画の識別子と、その論理区画の優先度とを対にして通知する手段とを有し、
前記ディスクサブシステムは、
論理区画の計算機イメージで実行されるプログラムからの入出力命令によるストレージアクセス動作を、その論理区画に対して、前記計算機から通知された優先度に基づいておこなうことを特徴とする計算機システム。
【請求項３】
前記論理区画の優先度が、その論理区画のＣＰＵ資源の割当て、または、前記ディスクサブシステムへのポートの使用率によって規定されることを特徴とする請求項２記載の計算機システム。
【請求項４】
計算機資源を複数の論理区画に分割して、複数の計算機イメージでプログラムを実行できる計算機に接続されたディスクサブシステムにおいて、
前記計算機は、
各々の論理区画の優先度によって、その論理区画の計算機イメージでプログラムを実行し、
接続されたディスクサブシステムに、前記論理区画の識別子と、その論理区画の優先度とを対にして通知するようにして、
その通知を受けたディスクサブシステムは、
論理区画の計算機イメージで実行されるプログラムからの入出力命令によるストレージアクセス動作を、その論理区画に対して前記計算機から通知された優先度に基づいておこなうことを特徴とするディスクサブシステム。
【請求項５】
通知を受けたディスクサブシステムは、前記計算機から通知された論理区画の優先度に基づいて、その論理区画の計算機イメージと通信するためのポートの使用率を調整することを特徴とする請求項４記載のディスクサブシステム。
【請求項６】
計算機資源を複数の論理区画に分割して、複数の計算機イメージでプログラムを実行できる計算機と、その計算機に接続された入出力装置とを有する計算機システムの入出力制御方法において、
前記計算機は、
各々の論理区画の優先度によって、その論理区画の計算機イメージでプログラムを実行する手順と、
前記入出力装置に、前記論理区画の識別子と、その論理区画の優先度とを対にして通知する手順とを実行し、
前記入出力装置は、
論理区画の計算機イメージで実行されるプログラムからの入出力命令による入出力動作を、その論理区画に対して、前記計算機から通知された優先度に基づいておこなう手順を実行することを特徴とする計算機システムの入出力制御方法。
【請求項７】
計算機資源を複数の論理区画に分割して、複数の計算機イメージでプログラムを実行できる計算機と、その計算機に接続されたディスクサブシステムとを有する計算機システムのディスクサブシステムの入出力制御方法において、
前記計算機は、
論理分割制御プログラムが、各々の論理区画の優先度によって、その論理区画の計算機イメージでプログラムを実行し、
前記ディスクサブシステムに、前記論理区画の識別子と、その論理区画の優先度とを対にして通知するコマンドを発行し、
前記ディスクサブシステムは、
自らのストレージアクセス動作をモニタして、
論理区画の計算機イメージで実行されるプログラムからの入出力命令によるストレージアクセス動作を、その論理区画に対して、前記計算機から通知された優先度と、前記のモニタのモニタ値とを比較して、調整することを特徴とするディスクサブシステムの入出力制御方法。
【請求項８】
計算機に接続されたディスクサブシステムの入出力制御プログラムにおいて、
そのディスクサブシステムに接続された計算機が、
計算機資源を複数の論理区画に分割して、各々の論理区画の優先度によって、複数の計算機イメージでプログラムを実行し、
前記ディスクサブシステムに、前記論理区画の識別子と、その論理区画の優先度を通知したときに、
論理区画の計算機イメージで実行されるプログラムからの入出力命令によるストレージアクセス動作を、その論理区画に対して、前記計算機から通知された優先度に基づいておこなう機能を実行することを特徴とするディスクサブシステムの入出力制御プログラム。
【発明の詳細な説明】
【０００１】
【発明の属する技術分野】
本発明は、計算機システム、および、その入出力装置に係り、特に、ディスクサブシステムなどに好適であって、計算機資源を複数の計算機イメージとして実行できる計算機で、各々の計算機イメージの優先度に基づいて、入出力処理もその優先度にしたがって処理させるようにして、計算機システム全体として業務の重要性に基づき効率よく処理を実行できる計算機システム、および、その入出力装置に関する。
【０００２】
【従来の技術】
近年の情報処理システムの大規模化や、業務量の大規模化ならびに多様化に伴い、入出力装置は、多種多様で、大量なデータを効率良く操作することが求められている。これは、効率良く入出力動作を実施することが、業務の効率化や高速化につながることが多いためである。
【０００３】
そこで、データの操作性を向上させるために、特許文献１には、分散データベースシステムのデータのレプリカを用意し、整合性を保証しながら、効率よく処理を進める方法が開示されている。
【０００４】
一方、特許文献２には、ディスクアレイ装置において、各ディスクのシーク時間を短縮、削減することで、アクセス性能の向上を図る手段が開示されている。
【０００５】
これらのように、ソフトウェアの側面や、ハードウェアの側面から、様々な工夫により、データアクセスの効率化を図り、入出力動作の高速化ならびに、業務処理の高速化が図られている。
【０００６】
【特許文献１】
特開平７−２９５８７１号公報
【特許文献２】
特開平９−１６０７２９号公報
【０００７】
【発明が解決しようとする課題】
上記従来技術は、計算機で実施されている業務の優先度と、入出力処理の優先度を一致させるという発想に基づくものである。
【０００８】
しかしながら、上記従来技術は、複数の計算機システムイメージ上で動作する業務プログラムが、一つの入出力装置を共有し、さらに、業務間で優先度付けがなされているような一連の処理を、効率よく推進するための考慮がなされていなかった。
【０００９】
一方、近年、高速化されたＣＰＵや、実装可能となった大容量の実記憶装置を有効に活用するため、一つの計算機システムのハードウェア資源を論理分割し、分割した個々の計算機資源上に、ひとつの計算機システムイメージを構築し、その計算機システムイメージ上では、独立した業務プログラムを実行したり、あるいは、お互いに関連付けられた業務プログラムを実行したりするシステムが出現してきた。
【００１０】
こうした形態をとる計算機システムで、互いに関連付けられた業務を分割して、上述した個々の計算機システム上でする場合では、個々の計算機システムイメージで、データを共有して業務プログラムを実行するケースが考えられる。
【００１１】
通常、このようなケースでは、オンライン業務に、バッチ業務の負荷が影響を与え、処理の遅延が発生しないようシステム設計をするように、業務間に優先付けがなされる。システム全体の業務を効率よく遂行するためには、優先度の高い業務の入出力処理を、優先的に実施することが必要である。
【００１２】
既存の複数の計算機イメージを構築する計算機システムの技術では、計算機上で実行されるプログラムの優先度を定義して、その優先度に基づいて処理をおこなう方法は知られているが、入出力処理にあたっては、プログラムの処理に伴う入出力動作に体系的に優先度をつけて、優先度の高いものを優先的に実行させるという技術は知られていなかった。
【００１３】
そのため計算機上で優先度を高くしても、入出力処理に高い優先度が与えられないため、入出力処理がボトルネックとなって、優先度の高いオンライン業務などの処理が遅延してしまうという問題点があった。
【００１４】
本発明は、上記問題点を解決するためになされたもので、その目的は、計算機資源を複数の計算機イメージとして実行できる計算機を有する計算機システムで、各々の計算機イメージの優先度に基づいて、ディスクサブシステムのストレージアクセスもその優先度にしたがって処理させるようにして、計算機システム全体として業務の重要性に基づき効率よく処理を実行できる計算機システムを提供することにある。
【００１５】
【課題を解決するための手段】
本発明では、計算機資源を複数の論理区画に分割して、複数の計算機イメージでプログラムを実行できる計算機と、その計算機に接続されたディスクサブシステムとを有する計算機システムにおいて、計算機を、各々の論理区画の優先度によって、その論理区画の計算機イメージでプログラムを実行する論理分割制御プログラムと、ディスクサブシステムに、論理区画の識別子と、その論理区画の優先度とを対にして通知する手段とで構成する。
【００１６】
そして、ディスクサブシステムは、論理区画の計算機イメージで実行されるプログラムからの入出力命令によるストレージアクセス動作を、その論理区画に対して、計算機から通知された優先度に基づいておこなうようにする。
【００１７】
論理区画の優先度は、その論理区画のＣＰＵ資源の割当て、ディスクサブシステムへのポートの使用率などによって規定される。
【００１８】
【発明の実施の形態】
以下、本発明に係る各実施形態を、図１ないし図８を用いて説明する。
【００１９】
〔実施形態１〕
以下、本発明に係る第一の実施形態を、図１ないし図５を用いて説明する。
【００２０】
先ず、図１を用いて本発明に係る計算機システムの構成について説明する。
図１は、本発明に係る計算機システムの構成図である。
【００２１】
計算機１００は、論理分割制御プログラム１１０によって、二つの論理区画上のそれぞれで計算機システムイメージが動作できるようになっている。本実施形態では、計算機システムイメージ１：１２０に割当てられた計算機資源の名称をＬＰＡＲ１と呼び、計算機システムイメージ２：１３０に割当てられた計算機資源の名称をＬＰＡＲ２と呼ぶことにする。
【００２２】
ＬＰＡＲ１：１１０では、ユーザプログラム１：１２５が動作し、ＬＰＡＲ２：１２０では、ユーザプログラム２：１３５が動作している。これら二つのプログラムは、共有するディスクサブシステム２００にアクセスしながら、業務を遂行している。
【００２３】
そして、計算機１００において、各ＬＰＡＲ１、ＬＰＡＲ２に対して、ストレージへアクセスするためのポートを割当てている。ＬＰＡＲ１に対しては、ポート１−１：１５０を割当て、ＬＰＡＲ２に対しては、ポート２−１：１６０を割当てている。
【００２４】
各ＬＰＡＲは、割当てられたポートを占有して、ストレージへのアクセスを実施している。すなわち、他のＬＰＡＲによって、ポートが使用されることがない状態になっている。こうした資源割当ての制御をしているのが、論理分割制御プログラム１１０である。さらに、この論理分割制御プログラムが占有して使用するためのポート１４０も用意し、各ＬＰＡＲの制御情報の入力や、ディスクサブシステム２００への制御情報の通知をするために、使用している。
【００２５】
ディスクサブシステム２００は、こうした計算機１００に接続されて、補助記憶装置として、ストレージを提供する。
【００２６】
ディスクサブシステム２００は、ポート０−２：２１０、ポート１−２：２２０、ポート２−２：２３０、入出力制御装置３００、ストレージ群２４０から構成される。
【００２７】
ポート０−２：２１０は、ポート０−１：１４０と、例えば、ファイバーチャネルで接続されており、論理分割制御プログラム１１０からのアクセス要求専用のポートとなっている。
【００２８】
次に、ポート１−２：２２０は、ＬＰＡＲ１：１２０のポート１−１：１５０と接続され、ＬＰＡＲ１からの入出力要求を受け付けるためのポートとなっている。最後に、ポート２−２：２３０は、ＬＰＡＲ２：１３０に割当てられたポート２−１：１６０と接続され、ＬＰＡＲ２：１３０からのアクセス要求を受け付けるためのポートとなっている。これらのポート２１０、２２０、２３０を経由して要求されたアクセス要求は、入出力制御装置３００が受け付け、ストレージ群２４０へアクセスすることになる。
【００２９】
ストレージ群２４０は、ｎ個のストレージ２４０−１、２４０−２、２４０−ｎから構成される。なお、本実施形態で示したストレージ群は、論理的に、ｎ個のストレージを構成しているのであって、物理的に、ｎ個のストレージで構成されているわけではない。
【００３０】
この中のストレージ２４０−１には、図１には図示していないが、論理分割制御プログラム１１０が各ＬＰＡＲ１、ＬＰＡＲ２に対して、割当てる計算機資源量を定義した資源割り当てファイル４００が格納されている。資源割り当てファイル４００の詳細は、後に説明する。
【００３１】
この資源割り当てファイル４００は、論理分割制御プログラム１１０を立ち上げる時にアクセスし、これをベースに各ＬＰＡＲ１、ＬＰＡＲ２に対して、計算機資源を割当てることになる。
【００３２】
そして、資源割り当てファイル４００に定義された資源の割当てに準拠して、論理分割制御プログラム１１０は、計算機１００の資源をＬＰＡＲ１：１２０とＬＰＡＲ２：１３０に割当てて、ユーザプログラム１：１２５とユーザプログラム２：１３５を実行させることになる。
【００３３】
次に、図２を用いて資源割り当てファイル４００について説明する。
図２は、本発明の第一の実施形態に係る資源割り当てファイル４００の模式図である。
【００３４】
レコード４１０は、ＬＰＡＲ１：１２０に対する計算機資源の割当てを示している。
【００３５】
ＬＰＡＲ１に対しては、メモリを２ＧＢ、ＣＰＵの相対的な割り当てを６０％、アクセス用のポートをポート１−１：１５０を割当てることを定義している。
【００３６】
同様に、レコード４２０は、ＬＰＡＲ２：１３０に対する計算機資源の割当てを示している。ＬＰＡＲ２に対しては、メモリを１ＧＢ、ＣＰＵの相対的な割り当てを４０％、アクセス用のポートをポート２−１：１６０を割当てることを定義している。
【００３７】
ここで、ＣＰＵの相対的な割り当てとは、全時間のＣＰＵの割り当て時間に対して、ＬＰＡＲ１で実行される処理プログラムの割り当て時間と、ＬＰＡＲ２で実行される処理プログラムの割り当て時間の比を６０：４０に近づけるように制御することを意味しており、当然のことながら、ＬＰＡＲ１の方が優先度が高くなっている。
【００３８】
次に、図３を用いて資源割当て通知用コマンドを説明する。
図３は、本発明の第一の実施形態に係る資源割当て通知用コマンドを示す模式図である。
【００３９】
本実施形態では、資源割当てファイル４００の中から、ＣＰＵの割当てと、各ＬＰＡＲに割当てられたポートに関する情報を、論理分割制御プログラムの初期設定時に、ディスクサブシステム２００に通知する。
【００４０】
これは、入出力コマンドに、資源割当て通知用コマンドを設けて、入出力制御装置３００に通知されるものである。その通知の時に使用するデータの形式５００は、図３に示す如くである。
【００４１】
各ＬＰＡＲに関して通知する情報は固定長で記すことができるが、データ量がＬＰＡＲ数に依存するので、通知するデータの先頭にはデータ長５０１が記されている。フィールド５０２から５０４は、ＬＰＡＲ１：１２０に関する情報である。フィールド５０２はＬＰＡＲ１の識別子を格納し、フィールド５０３は、ＣＰＵの相対的な使用率を格納している。さらに、フィールド５０４は、ＬＰＡＲ１：１２０が使用するポート１５０を格納している。同様に、フィールド５０５〜５０７には、ＬＰＡＲ２：１３０に関する情報が記されている。フィールド５０５はＬＰＡＲ２：１３０の識別子を格納し、フィールド５０６は、相対的なＣＰＵの使用率を格納している。さらに、フィールド５０７には、ＬＰＡＲ２が使用するポート１６０を格納している。
【００４２】
次に、図４を用いて本発明の計算機システムのシステム立ち上げ時の処理について説明する。
図４は、システム立ち上げ手順６００の処理を示すフローチャートである。
【００４３】
先ず、システムを立ち上げようとすると、論理分割プログラムをローディングし、初期設定をする（Ｓ６１０）。次に、資源割当てファイル４００にアクセスし、各ＬＰＡＲ１、ＬＰＡＲ２に対する計算機資源の割当てに関する情報を得て、得られた情報をもとに、通知データ５００を生成し、ディスクサブシステムに通知する（Ｓ６２０）。これにより、各ＬＰＡＲからの入出力要求の優先度付けに関する情報をディスクサブシステム２００へ通知することができる。その後、各ＬＰＡＲ１、  ＬＰＡＲ２の初期化をおこない（Ｓ６３０）、業務処理がおこなわれる（Ｓ６４０）。
【００４４】
なお、通知データ５００のディスクサブシステム２００への通知は、業務処理実施中に、動的に実施するような形態であっても構わない。
【００４５】
最後に、図５を用いて通知データ５００をもとに、入出力制御装置３００がどのように、入出力要求に対して優先度付けをするかを説明する。
図５は、本発明の第一の実施形態に係る入出力制御装置３００の機構を示した構成図である。
【００４６】
入出力制御装置３００は、資源割り当て情報受け付け部３１０、入出力実行部３２０、モニタおよび入出力制御部３３０、資源割当て定義テーブル３４０、ならびに、モニタテーブル３５０からなる。
【００４７】
資源割当て情報制御受付部３１０は、論理分割制御プログラム１１０から通知された通知データ５００を取得し、取得したデータをもとに、資源割当て定義テーブル３４０を生成する。資源割当て定義テーブル３４０は、図５に示すようにＬＰＡＲ１：１２０に関する情報３４１と、ＬＰＡＲ２：１３０に関する情報３４２を格納している。格納している情報の種類は、ＬＰＡＲの識別子と相対的なＣＰＵの利用率、各ＬＰＡＲが占有して使用するポートである。
【００４８】
入出力実行部３２０は、各ポートが受けた入出力要求をもとに、実際にストレージ２４０へのアクセス制御をする。この入出力実行部３３０が、どのポートからの入出力要求を優先して実行すべきかを指示するのが、モニタおよび入出力制御部３３０である。モニタおよび入出力制御部３３０は、入出力実行部３３０が、どのポートから受けた要求を実行したかをモニタリングし、過去の一定の期間内に、各ＬＰＡＲに対して、どのようなサービス量だったかを、モニタテーブル３５０に保持している。モニターテーブル３５０では、過去の一定期間内に、入出力実行部が各ＬＰＡＲに対して使用したＣＰＵの使用量を、ＬＰＡＲ１、ＬＰＡＲ２毎に格納している。ここで、ＬＰＡＲとポートの関係は、資源割当て定義テーブル３４０に記されているため、どのポートからの要求をサービスしたかを知ることで、どのＬＰＡＲのサービスをしたかを知ることができる。なお、モニタテーブルのＣＰＵの利用率は、ディスクサブシステムが有するＣＰＵで実行している割合いであることに注意を要する。
【００４９】
そして、モニタおよび入出力制御部３３０は、資源割当て定義テーブル３４０の相対的なＣＰＵの使用量と、モニタテーブル３５０の相対的なＣＰＵの使用量が合致する方向に調整するように、入出力実行部３２０に指示する。
【００５０】
図５に示した場合では、ＬＰＡＲ１：１２０のＣＰＵの使用量が、資源割当て定義テーブル３４０では６０％であるのに対し、実際にサービスした結果であるモニタテーブル３５０では３０％を示している。このような場合、モニタおよび入出力制御部３３０は、入出力実行部３２０に対して、ＬＰＡＲ１：１２０の入出力要求を優先して実施するよう指示する。すなわち、ポート１−２：２２０が受けた入出力要求を優先して実施するよう指示する。指示を受けた入出力実行部３２０は、ポート１−２：２２０が受けた要求を優先して実行する。
【００５１】
このような動作を、任意の時間間隔で繰り返すことにより、目標とするＬＰＡＲ間での入出力の優先度に、実際の入出力に合致するようになる。
【００５２】
以上の実施形態の説明では、ディスクサブシステムの入出力の処理は、ディスクサブシステム側のＣＰＵの利用率を例にして説明した。しかしながら、各ＬＰＡＲ１、  ＬＰＡＲ２のＣＰＵの相対的な割当てと、入出力実行部３２０が各ポートからの入出力要求に対する実際の入出力回数とを合致させるような制御をしてもよい。
【００５３】
〔実施形態２〕
以下、図６ないし図８を用いて本発明に係る第二の実施形態を説明する。
図６は、本発明の第二の実施形態に係る資源割り当てファイル４００の模式図である。
図７は、本発明の第二の実施形態に係る資源割当て通知用コマンドを示す模式図である。
図８は、本発明の第二の実施形態に係る入出力制御装置３００の機構を示した構成図である。
【００５４】
第一の実施形態では、各ＬＰＡＲの優先度の規定に、計算機のＣＰＵの割り当て率によるものであった。
【００５５】
本実施形態は、各ＬＰＡＲの優先度の規定に、各ＬＰＡＲが接続されているポートの使用率を用いて、論理分割制御プログラム１１０は、これを用いて各ＬＰＡＲに対する優先度付けをする。
【００５６】
計算機システムの構成は、ほとんどが第一の実施の形態と同一であり、以下、異なる点についてのみ、説明する。
【００５７】
資源割当てファイル４５０としては、図６に示したように、ポートに関する相対的な使用率として規定される。
【００５８】
この図の例では、各ポート１−１、１−２に対して、相対的な使用量として、レコード４５１、４５２に、ポートの使用率が、６０％、４０％となっており、これが、ディスクサブシステム２００のポートにおいての相対的なの使用量の目標値となる。
【００５９】
資源割当てファイル４５０のポートに関する情報は、図７に示す形式の通知データ５５０として、論理分割制御プログラムの初期設定後に、ディスクサブシステム２００へ通知される。
【００６０】
通知データ５５０は、フィールド５１０のＬ２が通知データの長さを示している。
【００６１】
そして、フィールド５５２と５５３、および、フィールド５５４と５５５とで、ポートの識別子と相対的な使用量とを対にして格納している。
【００６２】
そして、この通知データ５５０をベースに、資源割当て情報受付部３１０は、資源割当て定義テーブル３４５を作成し、ポート毎に、レコード３４６、３４７として、目標とする使用率を格納している。
【００６３】
これに対応するため、モニタおよび入出力制御部３３０は、モニタ情報として、ディスクサブシステム側のポート２２０、２３０の相対的な使用量をモニタし、モニタテーブル３５５に、ポート毎に、レコード３５６、３５７として、情報を格納する。
【００６４】
そして、第一の実施の形態同様、モニタテーブルの使用率３５６、３５７が、資源割当て定義テーブル３４５の使用率と合致する方向に調整するよう制御することで実現できる。
【００６５】
ここで、ポート１−１：１５０とポート１−２：２２０、および、ポート２−１：１６０とポート２−２：２３０の関係は、システム構成情報等の採取により容易に関係付けることができる。
【００６６】
【発明の効果】
本発明によれば、計算機資源を複数の計算機イメージとして実行できる計算機を有する計算機システムで、各々の計算機イメージの優先度に基づいて、ディスクサブシステムのストレージアクセスもその優先度にしたがって処理させるようにして、計算機システム全体として業務の重要性に基づき効率よく処理を実行できる計算機システムを提供することができる。
【図面の簡単な説明】
【図１】本発明に係る計算機システムの構成図である。
【図２】本発明の第一の実施形態に係る資源割り当てファイル４００の模式図である。
【図３】本発明の第一の実施形態に係る資源割当て通知用コマンドを示す模式図である。
【図４】システム立ち上げ手順６００の処理を示すフローチャートである。
【図５】本発明の第一の実施形態に係る入出力制御装置３００の機構を示した構成図である。
【図６】本発明の第二の実施形態に係る資源割り当てファイル４００の模式図である。
【図７】本発明の第二の実施形態に係る資源割当て通知用コマンドを示す模式図である。
【図８】本発明の第二の実施形態に係る入出力制御装置３００の機構を示した構成図である。
【符号の説明】
１００…計算機、１１０…論理分割制御プログラム、１２０…ＬＰＡＲ１、１３０…ＬＰＡＲ２、１４０…ポート、１５０…ポート、１６０…ポート、２００…ディスクサブシステム、２１０…ポート、２２０…ポート、２３０…ポート、２４０…ストレージ群、３００…入出力制御装置、３１０…資源割当て情報受付部、３２０…入出力実行部、３３０…モニタおよび入出力制御部、３４０…資源割当て定義テーブル、３５０…モニタテーブル、４００…資源割当てファイル、４５０…資源割当てファイル、５００…通知データ、５５０…通知データ。
【図１】
2004152060.tif 000003
【図２】
2004152060.tif 000004
【図３】
2004152060.tif 000005
【図４】
2004152060.tif 000006
【図５】
2004152060.tif 000007
【図６】
2004152060.tif 000008
【図７】
2004152060.tif 000009
【図８】
2004152060.tif 000010